(57)【要約】【課題】本発明は、メッセンジャーチャットウィンドウを介してユーザが撮影したリアルタイム映像を共有するためのメッセンジャーチャットウィンドウを介したリアルタイム映像共有装置を提供する。【解決手段】チャットウィンドウの生成要請に応じてチャットウィンドウを生成し、チャットウィンドウを介して入力されたメッセージを送受信処理するメッセンジャー処理モジュールと、リアルタイム撮影映像の共有要請に応じて、ユーザ端末によってリアルタイムで撮影される映像を受信し、ユーザ端末が参加したチャットルーム内の少なくとも１つの他構成員の各ユーザ端末に、リアルタイムで撮影される映像を送信処理するリアルタイム映像処理モジュールと、を含み、メッセンジャー処理モジュールは、リアルタイム撮影映像の共有要請に応じて、チャットウィンドウ内の予め設定された領域にリアルタイムで撮影される映像を表示するための領域を割り当てる。【選択図】図２
2014146333.tif 000002
【特許請求の範囲】
【請求項１】
チャットウィンドウの生成要請に応じてチャットウィンドウを生成し、前記チャットウィンドウを介して入力されたメッセージを送受信処理するメッセンジャー処理モジュールと、
リアルタイム撮影映像の共有要請に応じて、ユーザ端末によってリアルタイムで撮影される映像を受信し、前記ユーザ端末が参加したチャットルーム内の少なくとも１つの他構成員の各ユーザ端末に、前記リアルタイムで撮影される映像を送信処理するリアルタイム映像処理モジュールと、を含み、
前記メッセンジャー処理モジュールは、前記リアルタイム撮影映像の共有要請に応じて、前記チャットウィンドウ内の予め設定された領域に前記リアルタイムで撮影される映像を表示するための領域を割り当てる、メッセンジャーサーバ。
【請求項２】
前記リアルタイム映像処理モジュールは、
前記チャットルームに参加した構成員の各ユーザ端末によってリアルタイムで撮影される映像に対する放送権限を管理し、リアルタイム映像の放送を制御する機能を有するリアルタイム映像制御部を含む、請求項１に記載のメッセンジャーサーバ。
【請求項３】
前記リアルタイム映像制御部は、
前記チャットルームに参加した構成員のうちの放送権限が与えられた特定ユーザが、リアルタイム放送を進行する間に他のユーザが放送を引継ぎしようとする場合、前記特定ユーザの同意を得て放送権限を前記他のユーザに委譲できるように処理する、請求項２に記載のメッセンジャーサーバ。
【請求項４】
前記リアルタイムで撮影される映像をクラウドサーバに送信して格納処理するリアルタイム映像自動格納部をさらに含む、請求項１に記載のメッセンジャーサーバ。
【請求項５】
前記リアルタイムで撮影される映像を送信した前記ユーザ端末の位置情報を受信する位置情報受信部と、
前記リアルタイムで撮影される映像と関連したメタ情報を格納するメタ情報格納部と、をさらに含む、請求項１に記載のメッセンジャーサーバ。
【請求項６】
前記リアルタイムで撮影される映像の撮影位置をトラッキングした情報を前記チャットウィンドウ内で電子地図を介して提供するように処理するトラッキング情報提供部をさらに含む、請求項５に記載のメッセンジャーサーバ。
【請求項７】
前記リアルタイムで撮影される映像の撮影位置から、予め設定された距離以内に含まれたＰＯＩ情報を前記チャットウィンドウに提供するＰＯＩ情報提供部をさらに含む、請求項５に記載のメッセンジャーサーバ。
【請求項８】
道探し情報を要請した構成員のユーザ端末の位置から、前記リアルタイムで撮影される映像の撮影位置に行ける経路を電子地図上に表示できるように処理する道探し情報提供部をさらに含む、請求項５に記載のメッセンジャーサーバ。
【請求項９】
前記チャットウィンドウに新しい放送画面を追加させ、他のユーザ端末で現在撮影されている映像が前記新しい放送画面に表示されるように処理する、請求項１に記載のメッセンジャーサーバ。
【請求項１０】
メッセンジャーチャットウィンドウを介したリアルタイム映像共有方法であって、メッセンジャーサーバにおいて行われる各ステップが、
チャットウィンドウの生成要請に応じて生成されたチャットウィンドウを介して入力されたメッセージを送受信処理するステップと、
リアルタイム撮影映像の共有要請に応じて、ユーザ端末によってリアルタイムで撮影される映像を受信するステップと、
前記ユーザ端末が参加したチャットルーム内の少なくとも１つの他構成員の各ユーザ端末に、前記リアルタイムで撮影される映像を送信処理するステップと、を含み、
前記リアルタイム撮影映像の共有要請に応じて、前記チャットウィンドウ内の予め設定された領域にリアルタイム撮影映像を表示するための領域を割り当てるように処理する、メッセンジャーチャットウィンドウを介したリアルタイム映像共有方法。
【請求項１１】
前記チャットルームに参加した構成員の各ユーザ端末によってリアルタイムで撮影される映像に対する放送権限を管理し、リアルタイム映像の放送を制御するステップをさらに含む、請求項１０に記載のメッセンジャーチャットウィンドウを介したリアルタイム映像共有方法。
【請求項１２】
前記チャットルームに参加した構成員のうちの放送権限が与えられた特定ユーザが、リアルタイム放送を進行する間に他のユーザが放送を引継ぎしようとする場合、前記特定ユーザの同意を得て放送権限を前記他のユーザに委譲できるように処理するステップをさらに含む、請求項１１に記載のメッセンジャーチャットウィンドウを介したリアルタイム映像共有方法。
【請求項１３】
前記リアルタイムで撮影される映像をクラウドサーバに送信して格納処理するステップをさらに含む、請求項１０に記載のメッセンジャーチャットウィンドウを介したリアルタイム映像共有方法。
【請求項１４】
前記クラウドサーバに格納された前記リアルタイムで撮影される映像を、前記チャットルームを介して照会するステップをさらに含む、請求項１３に記載のメッセンジャーチャットウィンドウを介したリアルタイム映像共有方法。
【請求項１５】
前記リアルタイムで撮影される映像を送信した前記ユーザ端末の位置情報を受信するステップと、
前記リアルタイムで撮影される映像と関連したメタ情報を格納するステップと、をさらに含む、請求項１０に記載のメッセンジャーチャットウィンドウを介したリアルタイム映像共有方法。
【請求項１６】
前記リアルタイムで撮影される映像の撮影位置をトラッキングした情報を前記チャットウィンドウ内で電子地図を介して提供するように処理するステップをさらに含む、請求項１５に記載のメッセンジャーチャットウィンドウを介したリアルタイム映像共有方法。
【請求項１７】
前記リアルタイムで撮影される映像の撮影位置から、予め設定された距離以内に含まれたＰＯＩ情報を前記チャットウィンドウに提供するステップをさらに含む、請求項１５に記載のメッセンジャーチャットウィンドウを介したリアルタイム映像共有方法。
【請求項１８】
道探し情報を要請した構成員のユーザ端末の位置から、前記リアルタイムで撮影される映像の撮影位置に行ける経路を電子地図上に表示できるように処理するステップをさらに含む、請求項１５に記載のメッセンジャーチャットウィンドウを介したリアルタイム映像共有方法。
【請求項１９】
前記チャットウィンドウに新しい放送画面を追加させ、他のユーザ端末で現在撮影されている映像が前記新しい放送画面に表示されるように処理するステップをさらに含む、請求項１１に記載のメッセンジャーチャットウィンドウを介したリアルタイム映像共有方法。
【請求項２０】
請求項１０〜１９のいずれか１項に記載の方法を実行するためのプログラムが記録されていることを特徴とするコンピュータ読み取り可能な記録媒体。
【発明の詳細な説明】
【技術分野】
【０００１】
本発明は、メッセンジャーサービスに関し、より詳しくは、メッセンジャーチャットウィンドウを介し、ユーザが撮影したリアルタイム映像を共有するためのメッセンジャーチャットウィンドウを介したリアルタイム映像共有装置、方法およびコンピュータ読み取り可能な記録媒体に関する。
【背景技術】
【０００２】
一般的なインターネットは、世界中のどこでも、誰でも、接続しようとする相手のコンピュータに、ＴＣＰ／ＩＰという共通のプロトコルを適用して自由に接続し、使用できるように構成された開放型ネットワークである。ユーザは、インターネットを介した基本的な文字情報の伝達はもちろん、データ圧縮技術の発展に伴い、マルチメディア情報の伝達に利用されている電子メール、ファイル送信、ＷＷＷ（Ｗｏｒｌｄ  Ｗｉｄｅ  Ｗｅｂ）などの様々なサービスを利用することができる。
【０００３】
このように、国内を始め、世界的のインターネット使用の急激な増加に伴い、既存産業の全分野にわたって、効率性及び生産性の向上のための戦略的な道具としてインターネットの重要性が急速に増大している。それに伴い、インターネットを用いた新しいビジネスの機会も持続的に創出されているだけでなく、その領域も拡張されている傾向にある。これにより、インターネットを用いた事業者も益々増加している。
【０００４】
最近、各種コミュニケーションを必要とするユーザがホームページ、電子メール、電話ＡＲＳ（Ａｕｔｏ  Ｒｅｓｐｏｎｓｅ  Ｓｅｒｖｉｃｅ；自動応答サービス）などを利用してコミュニケーションを行っているが、ホームページや電子メールは顧客とのコミュニケーションにおいてリアルタイム性が劣るという短所がある。それに比べ、電話ＡＲＳは、リアルタイム性には優れるという長所があるが、ユーザにとって通信費用の負担が大きいという短所がある。
【０００５】
一方、インターネットを利用してリアルタイムで情報を伝達するための有用な方法として、インスタントメッセンジャー（Ｉｎｓｔａｎｔ  Ｍｅｓｓｅｎｇｅｒ）（以下、「メッセンジャー」と言う）がある。メッセンジャーは、ユーザが互いに簡単なメッセージをリアルタイムで伝達することを目的とする。前記メッセンジャーを利用することにより、二人のユーザがまるで直接話し合っているように伝達される文字により、リアルタイムでコミュニケーションをとることができる。これは、メッセージのリアルタイム性を重要視するメッセンジャーが、入力された内容を直ちに伝達するためである。
【０００６】
このようなメッセンジャークライアントプログラムの機能としては、単純にメッセージを伝達する機能だけでなく、メッセンジャーチャットウィンドウを介してエモーティコン（ｅｍｏｔｉｃｏｎ）、フラッシュコン（ｆｌａｓｈｃｏｎ）、ギフトコン（ｇｉｆｔｃｏｎ）などをチャットの相手に送信したり、チャットウィンドウを介してファイルを送信したりする機能もある。
【０００７】
また、１：１チャットだけでなく、多数の人が１つのチャットウィンドウを介して一緒にチャットできるグループチャット機能もある。グループチャットを行うためには、ユーザがメッセンジャークライアントプログラムで複数のチャット相手を選択して、彼らにチャットを要請することによりグループチャットウィンドウを生成したり、生成されているチャットウィンドウにチャット相手を追加しなければならない。
【０００８】
一方、最近では、メッセンジャーサービスが単純なチャット機能を超えて様々な形態の拡張されたサービスを提供している。
【０００９】
例えば、グループチャットルームを生成するための方法に関する技術として、大韓民国公開特許公報第２０１０−００９５２０５号「チャット提供システム（（株）Ｔｈｉｎｋｐｏｏｌ）」（文献１）には、株式取引システムと連動できるチャットシステムとして、ユーザからのチャットルームの開設要請がなくても、少なくとも１つの種目の各々に対する株式の種目別のチャットルームを自動で開設できるようにする構成が開示されている。また、大韓民国公開特許公報第２００９−０１３１４９３号「インターネットを用いたリアルタイム検索語によるチャットルーム提供方法（チェ・ミンホ）」（文献２）には、同一検索語を入力したユーザが存在する場合、当該ユーザ間にチャットルームを形成して、類似の利用者間にチャットウィンドウを提供できるようにする構成が開示されている。
【００１０】
さらに、大韓民国公開特許公報第２００３−００２２４６２号「電子メール送信を基盤にしたチャット方法（パク・ボンレ）」（文献３）と大韓民国公開特許公報第２００３−００７２８４４号「電子メールを基盤にしたチャット参加誘導方法（パク・ボンレ）」（文献４）には、電子メールを利用して、チャットを望む相手に電子メールを送信し、電子メールを受信した相手が受信された電子メールを利用して、電子メールを送信したユーザと受信したユーザとの間にチャットサービスを提供できるようにする構成が開示されている。
【００１１】
また、最近では、メッセンジャーチャットウィンドウを介して外部サービスと連動したサービスを提供する方法も提案されており、スマートフォンの活性化によりモバイルメッセンジャーの利用が急増している。
【００１２】
一方、このようなモバイルメッセンジャーにおいて、テキストで表現し難い内容はイメージ、写真、動画などを送信することによってさらに効果的なコミュニケーションをとっている。しかし、ユーザ端末に既に格納された写真または動画（例えば、ＶＯＤ）ファイルはチャットウィンドウ内でファイル添付機能によって送信することができるが、スマートフォンのようなモバイル端末によって、リアルタイムで撮影している映像については送信できる方法がない。
【００１３】
したがって、メッセンジャーチャットウィンドウを用いたリアルタイム映像共有方法の必要性が求められている。
【先行技術文献】
【特許文献】
【００１４】
【特許文献１】韓国公開特許第２０１０−００９５２０５号公報
【特許文献２】韓国公開特許第２００９−０１３１４９３号公報
【特許文献３】韓国公開特許第２００３−００２２４６２号公報
【特許文献４】韓国公開特許第２００３−００７２８４４号公報
【発明の概要】
【発明が解決しようとする課題】
【００１５】
本発明の目的は、ユーザ端末で撮影された映像を、メッセンジャーを介してリアルタイムで送信することによって、メッセンジャーチャットルーム内の他構成員がリアルタイムで映像を確認することができる、メッセンジャーチャットウィンドウを介したリアルタイム映像共有装置、方法およびコンピュータ読み取り可能な記録媒体を提供することにある。
【００１６】
また、本発明の目的は、ユーザ端末で撮影された映像を、メッセンジャーを介してリアルタイムで送信することによって、メッセンジャーチャットルーム内の他構成員がリアルタイムで映像を確認することができ、リアルタイム映像を撮影するユーザ端末の位置情報を共に提供することによって、別の情報を入力しなくてもリアルタイムで共有された映像の撮影場所を確認することができる、メッセンジャーチャットウィンドウを介したリアルタイム映像共有装置、方法およびコンピュータ読み取り可能な記録媒体を提供することにある。
【課題を解決するための手段】
【００１７】
上記の本発明の目的を果たし、後述する本発明の特有の効果を果たすための、本発明の特徴的な構成は下記の通りである。
【００１８】
本発明の一態様によれば、メッセンジャーサーバは、チャットウィンドウの生成要請に応じてチャットウィンドウを生成し、チャットウィンドウを介して入力されたメッセージを送受信処理するメッセンジャー処理モジュールと、リアルタイム撮影映像の共有要請に応じて、ユーザ端末によってリアルタイムで撮影される映像を受信し、ユーザ端末が参加したチャットルーム内の少なくとも１つの他構成員の各ユーザ端末に、リアルタイムで撮影される映像を送信処理するリアルタイム映像処理モジュールと、を含み、メッセンジャー処理モジュールは、リアルタイム撮影映像の共有要請に応じて、チャットウィンドウ内の予め設定された領域にリアルタイムで撮影される映像を表示するための領域を割り当てる。
【００１９】
好ましくは、リアルタイム映像処理モジュールは、チャットルームに参加した構成員の各ユーザ端末によってリアルタイムで撮影される映像に対する放送権限を管理し、リアルタイム映像の放送を制御する機能を有するリアルタイム映像制御部を含む。
【００２０】
好ましくは、リアルタイム映像制御部は、チャットルームに参加した構成員のうちの放送権限が与えられた特定ユーザが、リアルタイム放送を進行する間に他のユーザが放送を引継ぎしようとする場合、特定ユーザの同意を得て放送権限を他のユーザに委譲できるように処理する。
【００２１】
好ましくは、メッセンジャーサーバは、リアルタイムで撮影される映像をクラウドサーバに送信して格納処理するリアルタイム映像自動格納部をさらに含む。
【００２２】
好ましくは、メッセンジャーサーバは、リアルタイムで撮影される映像を送信したユーザ端末の位置情報を受信する位置情報受信部と、リアルタイムで撮影される映像と関連したメタ情報を格納するメタ情報格納部と、をさらに含む。
【００２３】
好ましくは、メッセンジャーサーバは、リアルタイムで撮影される映像の撮影位置をトラッキングした情報をチャットウィンドウ内で電子地図を介して提供するように処理するトラッキング情報提供部をさらに含む。
【００２４】
好ましくは、メッセンジャーサーバは、リアルタイムで撮影される映像の撮影位置から、予め設定された距離以内に含まれたＰＯＩ情報をチャットウィンドウに提供するＰＯＩ情報提供部をさらに含む。
【００２５】
好ましくは、メッセンジャーサーバは、道探し情報を要請した構成員のユーザ端末の位置から、リアルタイムで撮影される映像の撮影位置に行ける経路を電子地図上に表示できるように処理する道探し情報提供部をさらに含む。
【００２６】
好ましくは、メッセンジャーサーバは、チャットウィンドウに新しい放送画面を追加させ、他のユーザ端末で現在撮影されている映像が新しい放送画面に表示されるように処理する。
【００２７】
本発明の他の態様によれば、メッセンジャーチャットウィンドウを介したリアルタイム映像共有方法であって、メッセンジャーサーバにおいて行われる各ステップが、チャットウィンドウの生成要請に応じて生成されたチャットウィンドウを介して入力されたメッセージを送受信処理するステップと、リアルタイム撮影映像の共有要請に応じてユーザ端末によってリアルタイムで撮影される映像を受信するステップと、ユーザ端末が参加したチャットルーム内の少なくとも１つの他構成員の各ユーザ端末に、リアルタイムで撮影される映像を送信処理するステップと、を含み、リアルタイム撮影映像の共有要請に応じて、チャットウィンドウ内の予め設定された領域にリアルタイム撮影映像を表示するための領域を割り当てるように処理する。
【００２８】
好ましくは、リアルタイム映像共有方法は、チャットルームに参加した構成員の各ユーザ端末によってリアルタイムで撮影される映像に対する放送権限を管理し、リアルタイム映像の放送を制御するステップをさらに含む。
【００２９】
好ましくは、リアルタイム映像共有方法は、チャットルームに参加した構成員のうちの放送権限が、与えられた特定ユーザがリアルタイム放送を進行する間に他のユーザが放送を引継ぎしようとする場合、特定ユーザの同意を得て放送権限を他のユーザに委譲できるように処理するステップをさらに含む。
【００３０】
好ましくは、リアルタイム映像共有方法は、リアルタイムで撮影される映像をクラウドサーバに送信して格納処理するステップをさらに含む。
【００３１】
好ましくは、リアルタイム映像共有方法は、クラウドサーバに格納されたリアルタイムで撮影される映像を、チャットルームを介して照会するステップをさらに含む。
【００３２】
好ましくは、リアルタイム映像共有方法は、リアルタイムで撮影される映像を送信したユーザ端末の位置情報を受信するステップと、リアルタイムで撮影される映像と関連したメタ情報を格納するステップと、をさらに含む。
【００３３】
好ましくは、リアルタイム映像共有方法は、リアルタイムで撮影される映像の撮影位置をトラッキングした情報をチャットウィンドウ内で電子地図を介して提供するように処理するステップをさらに含む。
【００３４】
好ましくは、リアルタイム映像共有方法は、リアルタイムで撮影される映像の撮影位置から、予め設定された距離以内に含まれたＰＯＩ情報をチャットウィンドウに提供するステップをさらに含む。
【００３５】
好ましくは、リアルタイム映像共有方法は、道探し情報を要請した構成員のユーザ端末の位置から、リアルタイムで撮影される映像の撮影位置に行ける経路を電子地図上に表示できるように処理するステップをさらに含む。
【００３６】
好ましくは、リアルタイム映像共有方法は、チャットウィンドウに新しい放送画面を追加させ、他のユーザ端末で現在撮影されている映像が新しい放送画面に表示されるように処理するステップをさらに含む。
【００３７】
一方、メッセンジャーチャットウィンドウを介したリアルタイム映像共有方法の提供を受けるための情報は、サーバコンピュータによって読み取り可能な記録媒体に格納することができる。このような記録媒体は、コンピュータシステムによって実行されるようにプログラムおよびデータが格納される全ての種類の記録媒体を含む。その例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）−ＲＯＭ、磁気テープ、フロッピー（登録商標）ディスク、光データ格納装置などが挙げられ、また、搬送波（ｃａｒｒｉｒ  ｗａｖｅ）（例えば、インターネットを介した伝送）の形態に実施されるものも含まれる。また、このような記録媒体は、ネットワークに接続されたコンピュータシステムに分散され、分散方式でコンピュータ読み取り可能なコードが格納されて実行することができる。
【発明の効果】
【００３８】
上述したように、本発明によれば、スマートフォンなどを介してリアルタイムで撮影された映像をメッセンジャーチャットルーム内の他構成員とリアルタイムで共有できるという長所がある。また、本発明の実施形態により、複数のユーザが自身の端末で各々撮影した映像を同一のメッセンジャーチャットルーム内で同時に共有できるという長所がある。
【００３９】
また、本発明の実施形態によれば、スマートフォンなどのように自動検出可能な位置情報を、チャットルーム内にリアルタイムで提供される映像と共に提供することにより、別の情報を入力しなくても映像が撮影されている位置を他構成員にリアルタイムで知らせるという長所がある。
【図面の簡単な説明】
【００４０】
【図１】本発明の実施形態におけるメッセンジャーチャットウィンドウを介したリアルタイム映像共有システムを示す図である。
【図２】本発明の実施形態におけるメッセンジャーサーバの細部構造を示すブロック図である。
【図３】本発明の実施形態におけるメッセンジャーチャットウィンドウを介したリアルタイム映像共有の手順を示す信号のフローチャートである。
【図４】本発明の実施形態におけるメッセンジャーチャットウィンドウを介したリアルタイム映像共有での放送の引継ぎの手順を示すフローチャートである。
【図５】本発明の実施形態におけるメッセンジャーチャットウィンドウを介したリアルタイム映像共有での放送を共にする手順を示すフローチャートである。
【図６】本発明の実施形態におけるメッセンジャーチャットウィンドウを介してリアルタイムで映像を共有する例を示す図である。
【図７】本発明の実施形態におけるメッセンジャーチャットウィンドウを介したリアルタイム映像共有サービスでの映像位置のトラッキングサービス画面を示す図である。
【図８】本発明の実施形態におけるメッセンジャーチャットウィンドウを介したリアルタイム映像共有サービスでの道探しサービス画面を示す図である。
【発明を実施するための形態】
【００４１】
後述する本発明についての詳細な説明は、本発明が実施できる実施形態を例示として示す添付図面を参照する。これらの実施形態は、当業者が本発明を十分に実施することができるように詳細に説明される。本発明の多様な実施形態は、互いに異なるが、排他的でないことが理解されるであろう。例えば、ここに記載されている特定の形状、構造及び特徴は、一実施形態に関連して本発明の思想及び範囲を外れることなく他の実施形態として実現することができる。また、それぞれの開示された実施形態内の個別構成要素の位置または配置は、本発明の思想及び範囲を外れることなく変更され得ることを理解するべきである。したがって、後述する詳細な説明は限定的な意味で扱うものでなく、本発明の範囲は、添付された請求の範囲とそれから理解されうる範囲と均等な範囲によってのみ限定される。図面において、同類の参照符号は、添付図面を通じても同一または類似の機能を示すものとして用いられる。
【００４２】
本発明は、メッセンジャーチャットウィンドウを介して、ユーザが撮影したリアルタイム映像を共有するためのリアルタイム映像共有システムを開示する。例えば、モバイルメッセンジャーなどのチャットルーム内においてユーザ端末（例えば、スマートフォン）で撮影した映像をリアルタイムで放送できる機能を提供する。
【００４３】
すなわち、メッセンジャーチャットウィンドウ内でリアルタイム映像送信の機能を提供することにより、チャットルーム内の他構成員に所望の内容をリアルタイムで送信することができる。また、本発明の実施形態において、１人によるリアルタイム映像送信だけでなく、複数のユーザが放送するマルチユーザの映像送信を可能にすることにより、多数の映像を同時に見ることができる機能を提供することができる。
【００４４】
また、本発明の実施形態において、スマートフォンで自動検出可能な情報（例えば、位置情報）を用いて、リアルタイム映像の提供時に、別の追加情報の入力がなくても、映像と関連したメタ情報を自動で提供することができる。例えば、旅行地で撮影した映像のリアルタイム共有など、特定位置での風景をチャットルーム内の構成員に見せようとする場合、映像撮影者が別の情報を入力しなくても、自動で該当位置をチャットルーム内の構成員に伝達することができる。
【００４５】
また、本発明の実施形態において、放送後には放送された当該映像をクラウドサーバに自動格納されるようにすることにより、チャットルーム内でいつでもクラウドサーバにアクセスして映像を閲覧することができる。
【００４６】
一方、後述する詳細な説明におけるメッセンジャーサービスは、一般的なデスクトップコンピュータ上で駆動されるメッセンジャーサービスを含み、モバイル端末で駆動されるモバイルメッセンジャーサービスにも本発明は同様に適用することができる。
【００４７】
また、後述する説明での「ユーザ端末」は、一般的なデスクトップコンピュータだけでなくスマートフォンを含む概念であり、移動通信端末、デスクトップコンピュータ、ノート型パソコン、ワークステーション、パームトップ（ｐａｌｍｔｏｐ）コンピュータ、個人携帯情報端末（ｐｅｒｓｏｎａｌ  ｄｉｇｉｔａｌ  ａｓｓｉｓｔａｎｔ：ＰＤＡ）、ウェブパッドなどのようにメモリ手段を備え、マイクロプロセッサを搭載して演算能力を備えたデジタル機器であれば、本発明によるユーザ端末として採用することができる。また、本発明での「ユーザ端末」は、カメラ機能が備えられたモバイル端末（例えば、スマートフォン）であることが好ましい。
【００４８】
以下、本発明が属する技術分野で通常の知識を有した者が本発明を容易に実施できるようにするために、本発明の好ましい実施形態について添付図面を参照して詳細に説明する。
【００４９】
以下、図１および図２を参照して本発明の実施形態におけるシステムおよび装置の構造を説明し、次に、図３〜図５を参照して本発明の実施形態におけるサービスの手順を詳細に説明する。
【００５０】
［メッセンジャーチャットウィンドウを介したリアルタイム映像共有システム］
図１は、本発明の実施形態におけるメッセンジャーチャットウィンドウを介したリアルタイム映像共有システムを示す図である。図１を参照すれば、本発明の実施形態において、事業者サービスサーバ１００には、メッセンジャーサーバ１０１およびクラウドサーバ１０２が備えられることができる。クラウドサーバ１０２は、サービスサーバ１００の外部から他の事業者が構築したサーバであって、メッセンジャーサーバ１０１と連動するように実現されてもよい。
【００５１】
一方、クラウドサーバ１０２は、本発明の実施形態によってメッセンジャーサーバ１０１と連動して、メッセンジャーチャットウィンドウを介し、メッセンジャーサーバ１０１から提供を受けたリアルタイムで共有された映像を、リアルタイムメッセンジャー映像データベース１０３に格納する。リアルタイムメッセンジャー映像データベース１０３に格納された映像データは、ユーザ端末１３０でチャットウィンドウを介してアクセスできるように実現されることができる。
【００５２】
各ユーザ端末１３０（例えば、スマートフォン、ＰＣ、ノート型パソコンなど）においては、通信ネットワーク１２０を介してサービスサーバ１００（すなわち、メッセンジャーサーバ１０１）に加入し、接続して、当該サービスの提供を受けることができる。また、それと共にメッセンジャーサーバ１０１に接続してチャットルームを生成したり、生成されたチャットルームに参加してチャットウィンドウを介してリアルタイム映像共有サービスの提供を受けたりすることができる。
【００５３】
一方、本発明の実施形態において、メッセンジャーサーバ１０１とクラウドサーバ１０２は互いに連動して動作する。また、図１には示されていないが、認証サーバがサービスサーバ１００に接続する各ユーザ端末１３０を認証し、それと同時にメッセンジャーサーバ１０１においてメッセンジャーチャットウィンドウを介してチャットに参加する各構成員のユーザ端末１３０を認証することもできる。各サービスサーバ１００内のクラウドサーバ１０２は、上述したように同一の事業者によって運営されても良く、それぞれ異なる事業者が運営し、互いに連動するように運営されても良い。
【００５４】
通信ネットワーク１２０は、有線および無線などのような通信様態を問わずに構成されることができ、パーソナルエリアネットワーク（ＰＡＮ；Ｐｅｒｓｏｎａｌ  Ａｒｅａ  Ｎｅｔｗｏｒｋ）、ローカルエリアネットワーク（ＬＡＮ；Ｌｏｃａｌ  Ａｒｅａ  Ｎｅｔｗｏｒｋ）、メトロポリタンエリアネットワーク（ＭＡＮ；Ｍｅｔｒｏｐｏｌｉｔａｎ  Ａｒｅａ  Ｎｅｔｗｏｒｋ）、広域ネットワーク（ＷＡＮ；Ｗｉｄｅ  Ａｒｅａ  Ｎｅｔｗｏｒｋ）など、様々な通信網で構成されることができる。また、通信ネットワーク１２０は公知のワールドワイドウェブ（ＷＷＷ；Ｗｏｒｌｄ  Ｗｉｄｅ  Ｗｅｂ）であっても良く、赤外線（Ｉｎｆｒａｒｅｄ  Ｄａｔａ  Ａｓｓｏｃｉａｔｉｏｎ；ＩｒＤＡ）またはブルートゥース（Ｂｌｕｅｔｏｏｔｈ（登録商標））のように短距離通信に用いられる無線送信技術を利用することもできる。
【００５５】
ユーザ端末１３０には映像を撮影できるカメラモジュールが含まれることが好ましく、移動しながらリアルタイムで映像を撮影できるスマートフォンであることが好ましい。
【００５６】
ユーザ端末１３０でメッセンジャーサーバ１０１に接続してログインし、チャットルームを開設したり、開設されたチャットルームに参加した後、図６に示すように、本発明の実施形態において、参加したチャットウィンドウを介してリアルタイムで撮影された映像を共有したりすることができる。
【００５７】
すなわち、ユーザ端末１３０で撮影された映像は、通信ネットワーク１２０を介してメッセンジャーサーバ１０１に送信され、メッセンジャーサーバ１０１においては、ユーザ端末１３０のユーザが参加したチャットルームの他構成員のユーザ端末１３０に撮影された映像をリアルタイムで送信する。これにより、同一のチャットルーム内の他構成員のユーザ端末１３０には、チャットウィンドウを介してリアルタイムで撮影された映像が提供されることができる。
【００５８】
それと同時に、本発明の実施形態により、メッセンジャーサーバ１０１においては、撮影された映像をクラウドサーバ１０２に送信してリアルタイムメッセンジャー映像データベース１０３に格納するようにすることにより、その後にチャットルームに参加した構成員が撮影映像を閲覧することができる。このとき、格納された映像は、当該チャットルームを介してアクセスして閲覧できるようにすることが好ましい。
【００５９】
一方、メッセンジャーサーバ１０１は外部サーバ１１０と連動することができ、チャットウィンドウを介して共有されたリアルタイム撮影映像は外部サーバ１１０に提供して共有されることができる。外部サーバ１１０はいかなる種類のサーバも可能であり、例えば、ソーシャルネットワークサービスサーバ、ブログなどを提供するポータルサイトサーバなどであっても良い。
【００６０】
一方、本発明の一実施形態におけるユーザ端末１３０は、ユーザが通信ネットワーク１２０を介してメッセンジャーサーバ１０１に接続してチャットルームを生成したり、生成されたチャットルームに入場し、チャットウィンドウを介してメッセージを入力または確認したりするための入出力機能を含み、スマートフォンを含む移動通信端末だけでなく、デスクトップコンピュータ、ノート型パソコン、ワークステーション、パームトップ（ｐａｌｍｔｏｐ）コンピュータ、個人携帯情報端末（ｐｅｒｓｏｎａｌ  ｄｉｇｉｔａｌ  ａｓｓｉｓｔａｎｔ：ＰＤＡ）、ウェブパッドなどのようにメモリ手段を備え、マイクロプロセッサを搭載して演算能力を備えたデジタル機器であれば、本発明によるユーザ端末１３０として採用することができる。また、ユーザ端末１３０は、上述したようにリアルタイムで映像を撮影して送信できるようにカメラモジュールを備えることが好ましい。
【００６１】
以下、図２を参照して、メッセンジャーサーバ１０１の細部構成を説明する。
【００６２】
図２は、本発明の実施形態におけるメッセンジャーサーバの細部構造を示すブロック図である。図２を参照すれば、メッセンジャーサーバ１０１は、基本的なメッセンジャー処理機能を果たすメッセンジャー処理モジュール２１０、本発明の実施形態によってリアルタイムで撮影された映像を、メッセンジャーチャットウィンドウを介して共有する機能を提供するリアルタイム映像処理モジュール２２０、および本発明の実施形態におけるリアルタイム映像処理と関連した各種付加機能を提供する付加機能処理モジュール２３０などを含んで構成されることができる。
【００６３】
このとき、メッセンジャー処理モジュール２１０は、ログイン処理部２１１、チャットウィンドウ生成部２１２、チャットルーム管理部２１３、およびチャットメッセージ送信部２１４などを含んで構成されることができる。また、リアルタイム映像処理モジュール２２０は、リアルタイム映像制御部２２１、リアルタイム映像受信部２２２、映像格納処理部２２３、リアルタイム映像送信部２２４、およびリアルタイム映像照会部２２５などを含んで構成されることができる。また、付加機能処理モジュール２３０は、リアルタイム映像自動格納部２３１、位置情報受信部２３２、メタ情報格納部２３３、トラッキング情報提供部２３４、ＰＯＩ（Ｐｏｉｎｔ  ｏｆ  Ｉｎｔｅｒｅｓｔ）情報提供部２３５、および道探し情報提供部２３６などを含んで構成されることができる。
【００６４】
一方、以下の説明ではメッセンジャーサービスの一般的な機能に関する説明および構成は省略し、本発明の特徴と関連したものを中心に説明する。また、メッセンジャーサーバ１０１のメッセンジャー処理モジュール２１０に含まれる細部機能部は、その全部または一部がユーザ端末１３０に設置されるクライアントプログラムに含めることができ、細部機能部のうちの一部機能がサーバとクライアントシステムによって互いに連動したり分散したりして処理されることもできる。
【００６５】
以下、各モジュールの細部機能を詳細に説明する。先ず、メッセンジャー処理モジュール２１０のログイン処理部２１１は、各ユーザ端末１３０がメッセンジャーサーバ１０１に接続してログイン要請をする場合、会員情報データベース２４１に格納された情報を参照してログイン処理を行い、上述した認証サーバと連動して認証を行うこともできる。
【００６６】
チャットウィンドウ生成部２１２は、ユーザ端末１３０がメッセンジャーサーバ１０１にログインした後、チャットルームを作り、チャットウィンドウの生成を要請すれば、要請に応じてチャットウィンドウを生成する機能を果たす。このとき、チャットウィンドウを介して入力されたチャット情報をチャット情報データベース２４２に格納することができる。
【００６７】
チャットルーム管理部２１３は、生成されたチャットルームを管理し、チャットルームと関連した情報および生成されたチャットルームに参加する複数の構成員に関する情報（例えば、チャットルームＩＤ、構成員ＩＤ、構成員情報など）を管理する機能を有する。各チャットルームに関する情報はチャットルーム情報データベース２４３に格納されることができる。
【００６８】
チャットメッセージ送信部２１４は、各ユーザ端末１３０からチャットウィンドウを介して入力されたチャットメッセージを受信して他のユーザ端末１３０に送信する機能を有する。チャットメッセージ送信部２１４を介して送信されるチャットメッセージはチャット情報データベース２４２に格納される。
【００６９】
以下、リアルタイム映像処理モジュール２２０の各構成部の機能を説明する。リアルタイム映像制御部２２１は、本発明の実施形態によってリアルタイムで撮影された映像を、メッセンジャーチャットウィンドウを介して共有しようとする場合、各ユーザ端末１３０で撮影されたリアルタイム映像に対する放送権限を管理し、リアルタイム映像の放送を制御する機能を有する。例えば、チャットルームに参加した構成員のうち、特定ユーザがリアルタイム放送を行おうとする場合は当該放送者に放送権限を付与し、他のユーザが放送を引き継いで行おうとする場合は元放送者の同意を得て放送権限を委譲できるように処理する。一方、リアルタイム映像に対する放送権限と関連した情報は放送権限情報データベース２４４に格納されることができる。
【００７０】
リアルタイム映像受信部２２２は、放送権限を取得した特定ユーザがリアルタイムで撮影した映像を受信する。このとき、複数のユーザが放送権限を取得して、１つのチャットウィンドウにおいて複数のリアルタイム放送映像を提供する場合は、各ユーザ端末１３０からリアルタイムで撮影された複数の映像を受信することができる。
【００７１】
映像格納処理部２２３は、リアルタイム映像受信部２２２を介して受信された映像をリアルタイム映像情報データベース２４５に臨時に格納する機能を有する。一方、本発明の実施形態により、リアルタイム映像情報は、付加機能処理モジュール２３０のリアルタイム映像自動格納部２３１によって別のクラウドサーバ１０２に送信されて格納されることもできる。
【００７２】
リアルタイム映像送信部２２４は、リアルタイム映像を送信したユーザが参加したチャットルームの他構成員の情報を確認し、他構成員の各ユーザ端末１３０に、受信されたリアルタイム映像を送信する機能を有する。ここで、送信されるリアルタイム映像は、チャットルームを識別できる情報を共に含んで送信することが好ましい。
【００７３】
リアルタイム映像照会部２２５は、チャットルームにおいてリアルタイム映像に関する放送が提供された後、チャットルームに参加した各構成員が当該映像を再び見たいとき、放送された映像照会を要請すると、要請に応じてリアルタイム映像情報データベース２４５またはクラウドサーバ１０２に格納されたリアルタイム放送映像を照会して提供する機能を有する。一方、格納されたリアルタイム映像情報は、当該構成員が参加したチャットルームまたはチャットウィンドウを介して要請できるように実現することができる。すなわち、チャットウィンドウ内で放送リプレイ機能を選択すれば、チャットウィンドウにおいてリアルタイム放送して格納された放送映像を再び要請して見ることができるようになる。
【００７４】
以下、付加機能処理モジュール２３０の各構成部の機能を説明する。リアルタイム映像自動格納部２３１は、上述したように本発明による基本機能としてあるいはユーザの設定により、リアルタイムで放送された映像をデータベースに自動で格納する機能を果たす。このとき、メッセンジャーサーバ１０１内のデータベースに格納することもでき、外部のクラウドサーバ１０２に送信して格納することもできる。
【００７５】
位置情報受信部２３２は、チャットウィンドウを介してリアルタイム撮影映像が放送されるとき、映像が撮影された位置情報を共に提供できるように、映像を撮影するユーザ端末１３０の位置情報を受信する機能を有する。すなわち、チャットに参加した特定ユーザがリアルタイム放送を行うとき、放送映像を撮影したユーザ端末１３０の位置情報をリアルタイムで照会してメッセンジャーサーバ１０１に提供する。これにより、位置情報受信部２３２は、リアルタイム放送映像を提供するユーザ端末１３０の位置情報を受信することにより、リアルタイム放送映像が撮影された位置を確認することができる。
【００７６】
メタ情報格納部２３３は、位置情報受信部２３２を介して受信された位置情報と共に、リアルタイム放送映像と関連したメタ情報をメタ情報データベース２４６に格納する機能を有する。メタ情報は、リアルタイム撮影映像を放送する放送者ＩＤ、放送者のニックネーム、放送開始時間、放送進行時間、放送位置情報、ユーザ端末の機種、カメラモジュールの種類、映像解像度などを含むことができる。これにより、メッセンジャーチャットウィンドウを介してリアルタイム放送映像を提供するとき、メタ情報を共に提供することができる。
【００７７】
トラッキング情報提供部２３４は、チャットルームに参加した構成員がリアルタイム撮影映像のトラッキング情報を要請する場合、図７に示すようなトラッキング情報を地図上に表示して提供することができる。このために、トラッキング情報提供部２３４は、メタ情報データベース２４６に格納された一定周期間隔ごとに受信された撮影映像の累積した位置情報を確認し、これを図７のように電子地図上に表示してユーザ端末１３０のチャットウィンドウに提供する。
【００７８】
ＰＯＩ情報提供部２３５は、メタ情報データベース２４６に格納された撮影映像の位置情報を参照して、撮影映像の位置から予め設定された距離以内に含まれたＰＯＩ情報をＰＯＩ情報データベース２４７から照会して提供する機能を有する。
【００７９】
道探し情報提供部２３６は、本発明によってチャットウィンドウにおいてリアルタイム映像の放送を提供するとき、チャットルーム内の構成員が道探し機能の提供を要請すれば、道探し機能の提供を要請したユーザ端末１３０の位置からリアルタイム放送映像の位置に行ける経路を電子地図上に表示して提供する機能を有する。
【００８０】
したがって、チャットウィンドウ内でリアルタイム放送が提供される間に、特定の構成員が、リアルタイム放送が撮影された位置に行こうとする場合、図８に示すように道探し機能を選択することができる。道探し機能が選択されれば、道探し情報提供部２３６は、道探し機能を選択したユーザのユーザ端末１３０から位置情報を受信し、リアルタイム放送映像が撮影された位置情報を受信して、２つの位置間の最適経路を算出する。このように算出された最適経路は電子地図上に表示されることができ、道探し機能を選択したユーザのユーザ端末１３０に提供され、図８に示すようにチャットウィンドウ内でリアルタイム放送映像と共に表示されることができる。このように、リアルタイム放送映像と共に現在位置から放送映像の撮影位置までの経路を提供することにより、リアルタイム放送提供者の位置にまで容易に到達することができる。
【００８１】
一方、メッセンジャーサーバ１０１の各々の構成要素は機能および論理的に分離できることを表すために個別に図面に示したものであり、物理的に必ずしも別の構成要素や別のコードとして実現されることを意味するものではない。
【００８２】
また、本明細書において、各機能部（またはモジュール）とは、本発明の技術的思想を遂行するためのハードウェアおよびハードウェアを駆動するためのソフトウェアの機能的、構造的な結合を意味することができる。例えば、上記の各機能部は所定のコードと、所定のコードが遂行されるためのハードウェアリソースの論理的な単位を意味することができ、必ずしも物理的に接続されたコードを意味したり、１種類のハードウェアを意味したりするものではないことは、本発明の技術分野の平均的な専門家にとっては容易に推論することができるであろう。
【００８３】
また、本明細書において、データベースとは、各々のデータベースに対応する情報を格納するソフトウェアおよびハードウェアの機能的／構造的な結合を意味することができる。データベースは、データベースに対応する情報を格納できる全てのデータ格納媒体およびデータ構造を含む。
【００８４】
［メッセンジャーチャットウィンドウを介したリアルタイム映像共有方法］
図３は、本発明の実施形態におけるメッセンジャーチャットウィンドウを介したリアルタイム映像共有の手順を示す信号のフローチャートである。図３を参照すれば、先ず、ユーザ端末１３０でメッセンジャープログラムを実行してメッセンジャーサーバ１０１に接続し、ログイン（Ｓ３０１）する。次に、新しいチャットルームを開設するか、開設されたチャットルームに参加（Ｓ３０２）することによってチャット（Ｓ３０３）を行う。このとき、一般的なメッセンジャー機能のように、友達として登録されているユーザを選択してチャットウィンドウを生成することによってチャットルームを開設することもできる。前記チャットルームは１：１チャットを行うこともでき、複数のユーザを参加させて３人以上を構成員にしてチャットを行うこともできる。
【００８５】
一方、本発明の実施形態により、ユーザ端末１３０に表示されるチャットウィンドウを介してリアルタイム放送を選択（Ｓ３０４）すれば、チャットウィンドウ内に予め設定された領域にリアルタイム放送映像を表示するための領域が確保されて生（リアルタイム）放送画面モードが生成（Ｓ３０６）され、ユーザ端末１３０に備えられたカメラモジュールが駆動されて映像が撮影（Ｓ３０８）され、撮影された映像が確保された領域においてリアルタイムで再生される。
【００８６】
このとき、リアルタイム放送の選択に応じて、リアルタイム放送開始のお知らせをメッセンジャーサーバ１０１に送信し、メッセンジャーサーバ１０１においては、リアルタイム放送の選択に応じて、チャットルーム内の他のユーザ端末１３０にリアルタイム放送が始まることを知らせる（Ｓ３０７）。
【００８７】
これにより、リアルタイム放送を選択したユーザ端末１３０で撮影された映像はメッセンジャーサーバ１０１にリアルタイムで送信（Ｓ３０９）され、メッセンジャーサーバ１０１においては、リアルタイムで送信されたリアルタイム撮影映像をチャットルーム内の他のユーザ端末１３０に送信（Ｓ３１０）する。また、本発明の実施形態により、リアルタイム撮影映像はクラウドサーバ１０２に送信（Ｓ３１２）され、クラウドサーバ１０２においてはリアルタイム撮影映像をデータベースに格納（Ｓ３１４）することにより、その後、いつでも撮影映像に対する閲覧が可能であるようにする。
【００８８】
また、本発明の実施形態により、リアルタイム映像を撮影するユーザ端末１３０の位置情報がメッセンジャーサーバ１０１に送信（Ｓ３１１）され、メッセンジャーサーバ１０１においては、送信された位置情報を含めて撮影されたリアルタイム映像のメタ情報を共に格納（Ｓ３１３）し、メタ情報をリアルタイム撮影映像と共に他のユーザ端末１３０に送信することができる。
【００８９】
図４は、本発明の実施形態において、メッセンジャーチャットウィンドウを介したリアルタイム映像共有での放送の引継ぎの手順を示すフローチャートである。図４を参照すれば、ユーザ端末を介してメッセンジャーに接続（Ｓ４０１）し、チャットルームに入場した後、チャットルーム内の他構成員がリアルタイム映像の放送を開始すれば、リアルタイム放送映像データを受信（Ｓ４０２）してチャットウィンドウ内に表示（Ｓ４０３）する。
【００９０】
このとき、他構成員のリアルタイム放送中に自身が新しいリアルタイム放送をしようとする場合、元放送者の同意を得て放送を引き継ぐことが好ましい。したがって、チャットウィンドウ内で放送の引継ぎを選択（Ｓ４０４）すれば、当該放送の引継ぎ要請に関する情報が現在放送者のユーザ端末に送信される。現在放送者は当該放送の引継ぎ要請を受信し、放送の引継ぎを受諾（Ｓ４０５）すれば、現在進行中であった本来の放送が終了（Ｓ４０６）し、放送の引継ぎを選択したユーザ端末で撮影された映像が表示（Ｓ４０７）される。
【００９１】
このようにして、チャットルーム内の複数の構成員が引き継いでリアルタイムで撮影された映像の放送を行うことができる。
【００９２】
図５は、本発明の実施形態におけるメッセンジャーチャットウィンドウを介して、複数のリアルタイム映像を共有し、放送を共にする手順を示すフローチャートである。図５を参照すると、図４とは異なり、複数のチャット参加者が１つのチャットウィンドウ内で同時にリアルタイム放送映像を提供することができる。
【００９３】
すなわち、ユーザ端末を介してメッセンジャーに接続（Ｓ５０１）し、チャットルームに入場した後、チャットルーム内の他構成員がリアルタイム映像の放送を開始すれば、リアルタイム放送映像データを受信（Ｓ５０２）してチャットウィンドウ内に表示（Ｓ５０３）する。
【００９４】
このとき、他構成員のリアルタイム放送中に自身が撮影したリアルタイム映像を共に共有しようとする場合、本来の放送者の同意有無に関係なくチャットウィンドウ内に放送画面を追加することによってリアルタイム映像を共有することができる。
【００９５】
したがって、ユーザが放送を共にすることを選択（Ｓ５０４）すれば、リアルタイム放送画面ボードに新しい放送画面が追加（Ｓ５０５）され、ユーザ端末で現在撮影されている映像が、新しい放送画面に表示（Ｓ５０６）される。このとき、新しい放送画面が追加されることに伴い、全体的な画面配置と大きさを考慮して、１つの放送画面は適切な大きさにリサイジングされることが好ましい。
【００９６】
本発明の一実施形態における方法は、様々なコンピュータ手段を介して行われることのできるプログラム命令形態として実現され、コンピュータ読み取り可能な媒体に記録されることができる。コンピュータ読み取り可能な媒体は、プログラム命令、データファイル、データ構造などを単独でまたは組み合わせて含むことができる。媒体に記録されるプログラム命令は本発明のために特別に設計して構成されたものであるか、コンピュータソフトウェアの当業者に公知されて使用可能なものであっても良い。コンピュータ読み取り可能な記録媒体の例には、ハードディスク、フロッピー（登録商標）ディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納し遂行するように特別に構成されたハードウェア装置が含まれる。プログラム命令の例には、コンパイラによって作られるような機械語コードだけでなく、インタープリターなどを用いてコンピュータによって実行できる高級言語コードを含む。上記のハードウェア装置は本発明の動作を行うために１つ以上のソフトウェアモジュールとして作動するように構成されることができ、その逆も同様である。
【００９７】
［実施形態］
図６は、本発明の実施形態におけるメッセンジャーチャットウィンドウを介して、リアルタイムで映像を共有する例を示す図である。図６を参照すれば、本発明の実施形態により、スマートフォン６００などでモバイルメッセンジャーを実行させ、チャットルームにおいてリアルタイム放送ボタンを選択することにより、図示したようにチャットルーム６１０の画面の上段にリアルタイム放送画面ボード６２０が生成される。他の方法として、ユーザのチャットルームの吹き出しにおいてリアルタイム放送画面の再生をクリックすれば、画面が拡大されてリアルタイム放送が提供される。このように、リアルタイム放送の実行により、全体チャットウィンドウ領域はリアルタイム放送領域とチャットメッセージ表示領域６３０に区分して構成されることができる。一方、画面配置および構成は実施形態に応じて様々に実現されることができる。
【００９８】
図６において、本発明の実施形態によってトラッキングボタン６２１を選択すれば、図７に示すように、本発明の実施形態によって映像撮影位置のトラッキング機能が提供される。
【００９９】
図７は、本発明の実施形態におけるメッセンジャーチャットウィンドウを介したリアルタイム映像共有サービスでの映像位置のトラッキングサービス画面を示す図である。図７を参照すれば、図６において、トラッキング機能の選択により、映像撮影位置情報の累積した位置情報を電子地図７００上に経路情報７０１として表示することができる。すなわち、図示したようにリアルタイム放送映像の開始位置から現在放送されている位置までの経路が電子地図上に表示されることができる。
【０１００】
図６において、本発明の実施形態によって道探しボタン６２２を選択すれば、図８に示すように、本発明の実施形態によってユーザの現在位置から映像撮影位置までの最適経路情報が提供される。
【０１０１】
図８は、本発明の実施形態におけるメッセンジャーチャットウィンドウを介したリアルタイム映像共有サービスでの道探しサービス画面を示す図である。図８を参照すれば、図６において、道探し機能の選択により、現在ユーザ端末の位置と現在映像撮影位置の情報から最適経路を算出し、最適経路情報を電子地図８００上に経路情報として表示することができる。これにより、電子地図８００上には、現在ユーザ端末の位置８０１と放送者の位置８０２（すなわち、現在リアルタイム放送映像の撮影位置）がポイントとして表示されることができる。
【０１０２】
本発明は、特定機能およびその関係の性能を示す方法ステップの目的をもって上記で説明された。このような機能的な構成要素および方法ステップの境界および順序は説明の便宜のためにここでは任意に定義された。前記特定機能および関係が適切に遂行される限り、代案的な境界および順序が定義されても良い。したがって、任意のこのような代案的な境界および順序は前記請求された発明の範囲および思想内にある。さらに、このような機能的な構成要素の境界は説明の便宜のために任意に定義された。或る重要な機能が適切に遂行される限り、代案的な境界が定義されても良い。同じように、フローチャートブロックも或る重要な機能性を示すためにここでは任意に定義されていても良い。拡張された使用のために前記フローチャートブロックの境界および順序は定義されていても良く、依然として或る重要な機能を果たす。したがって、機能的な構成要素およびフローチャートブロックおよび順序の２つともの代案的な定義は請求された本発明の範囲および思想内にある。
【０１０３】
また、本発明は、１つ以上の実施形態の用語で、少なくとも部分的に説明されていても良い。本発明の実施形態は、本発明、その側面、その特徴、その概念、および／またはその例を示すために用いられる。本発明を実現する装置、製造のもの、マシーン、および／またはプロセスの物理的な実施形態は、ここに説明された１つ以上の実施形態を参照して説明された１つ以上の側面、特徴、概念、例などを含むことができる。さらに、全図面において、実施形態は前記同一のまたは異なる参照番号を使用できる前記同一にまたは類似するように命名された機能、ステップ、モジュールなどを統合することができ、それと共に、前記機能、ステップ、モジュールなどは前記同一のまたは類似の機能、ステップ、モジュールなどまたは異なるものであっても良い。
【０１０４】
以上、本発明を具体的な構成要素などのような特定事項と限定された実施形態及び図面を参照して説明したが、これは本発明のより全体的な理解を容易にするために提供されたものにすぎず、本発明は前記実施形態によって限定されず、本発明が属する分野で通常的な知識を有した者であれば、このような記載から多様な修正及び変形が可能である。
【０１０５】
従って、本発明の思想は前記実施形態に限定されるものではなく、添付する特許請求の範囲だけでなく、特許請求の範囲と均等または等価的に変形された全ては、本発明の思想の範疇に属するとするべきであろう。
【符号の説明】
【０１０６】
１００  ・・・サービスサーバ
１０１  ・・・メッセンジャーサーバ
１０２  ・・・クラウドサーバ
１０３  ・・・リアルタイムメッセンジャー映像ＤＢ
１１０  ・・・外部サーバ
１２０  ・・・通信ネットワーク
１３０  ・・・ユーザ端末
２１０  ・・・メッセンジャー処理モジュール
２１１  ・・・ログイン処理部
２１２  ・・・チャットウィンドウ生成部
２１３  ・・・チャットルーム管理部
２１４  ・・・チャットメッセージ送信部
２２０  ・・・リアルタイム映像処理モジュール
２２１  ・・・リアルタイム映像制御部
２２２  ・・・リアルタイム映像受信部
２２３  ・・・映像格納処理部
２２４  ・・・リアルタイム映像送信部
２２５  ・・・リアルタイム映像照会部
２３０  ・・・付加機能処理モジュール
２３１  ・・・リアルタイム映像自動格納部
２３２  ・・・位置情報受信部
２３３  ・・・メタ情報格納部
２３４  ・・・トラッキング情報提供部
２３５  ・・・ＰＯＩ情報提供部
２３６  ・・・道探し情報提供部
２４１  ・・・会員情報ＤＢ
２４２  ・・・チャット情報ＤＢ
２４３  ・・・チャットルーム情報ＤＢ
２４４  ・・・放送権限情報ＤＢ
２４５  ・・・リアルタイム映像情報ＤＢ
２４６  ・・・メタ情報ＤＢ
２４７  ・・・ＰＯＩ情報ＤＢ
【図１】
2014146333.tif 000003
【図２】
2014146333.tif 000004
【図３】
2014146333.tif 000005
【図４】
2014146333.tif 000006
【図５】
2014146333.tif 000007
【図６】
2014146333.tif 000008
【図７】
2014146333.tif 000009
【図８】
2014146333.tif 000010